(57)【要約】【課題】着座者の視界を遮らず且つ着座者が聞くスピーカからの音の音質が悪くなるのを防止するスピーカ設置椅子を提供する。【解決手段】座部１と背凭れ部２を有し該背凭れ部２の上部にヘッドレスト３が設けられた椅子に、着座者が頭部４をヘッドレスト３に凭れかけた時の前方を中心とする視界Ａの両側方の端部Ａ１外又は端部Ａ１近傍に位置するようにスピーカ５をそれぞれヘッドレスト３の左右に着座者の耳４１の方向を向くように配置した。【選択図】　　　　図１
2004016522.tif 000002
【特許請求の範囲】
【請求項１】
座部と背凭れ部を有し該背凭れ部の上部にヘッドレストが設けられた椅子に、着座者が頭部をヘッドレストに凭れかけた時の前方を中心とする視界の両側方の端部外又は端部近傍に位置するようにスピーカをそれぞれヘッドレストの左右に着座者の耳の方向を向くように配置して成ることを特徴とするスピーカ設置椅子。
【請求項２】
スピーカを着座者に対して前方から略９０°を為す側方に配置して成ることを特徴とする請求項１記載のスピーカ設置椅子。
【請求項３】
スピーカを横長に配置して成ることを特徴とする請求項１記載のスピーカ設置椅子。
【請求項４】
スピーカにそれぞれ別体の高音発生部と低音発生部とが水平方向に並設され、高音発生部を着座者に対して前方から略９０°を為す側方に配置して成ることを特徴とする請求項３記載のスピーカ設置椅子。
【請求項５】
別体の高音発生部と低音発生部とが形成されるスピーカの低音発生部が着座者の耳の側方より後方に配置されることを特徴とする請求項３記載のスピーカ設置椅子。
【請求項６】
左右のスピーカから略同一の波形の音を位相をずらして発生することを特徴とする請求項１記載のスピーカ設置椅子。
【発明の詳細な説明】
【０００１】
【発明の属する技術分野】
本発明は、スピーカが設置されたスピーカ設置椅子に関するものである。
【０００２】
【従来の技術】
従来、椅子にスピーカを設置したスピーカ設置椅子が使用される。椅子本体は、座部と背凭れ部及び、背凭れ部の上部に設けたヘッドレストで構成され、このヘッドレストの左右にそれぞれスピーカを設けたものである。
【０００３】
このようなスピーカ設置椅子は、着座者本人のみがスピーカからの音を聞くものであるため、周辺になるべく音が響かないように着座者の耳の近傍にスピーカを配置するものであった。
【０００４】
しかしながら、着座者の耳の近傍にスピーカを配置するとスピーカが着座者の視界を邪魔することとなり、また、スピーカを後部に配置すると着座者が聞くスピーカからの音の音質が悪いものであった。
【０００５】
【発明が解決しようとする課題】
本発明はこのような点に鑑みてなされたものであり、その目的とするところは、着座者の視界を遮らず且つ着座者が聞くスピーカからの音の音質が悪くなるのを防止するスピーカ設置椅子を提供することを課題とするものである。
【０００６】
【課題を解決するための手段】
上記課題を解決するために本発明に係るスピーカ設置椅子は、座部１と背凭れ部２を有し該背凭れ部２の上部にヘッドレスト３が設けられた椅子に、着座者が頭部４をヘッドレスト３に凭れかけた時の前方を中心とする視界Ａの両側方の端部Ａ１外又は端部Ａ１近傍に位置するようにスピーカ５をそれぞれヘッドレスト３の左右に着座者の耳４１の方向を向くように配置して成ることを特徴とするものである。このような構成とすることで、着座者の視界Ａ内にスピーカ５を配置せずにすんで着座者の視界Ａを妨げることがなくなり、着座者が不快感を感じないものである。
【０００７】
また、スピーカ５を着座者に対して前方から略９０°を為す側方に配置することが好ましい。このような構成とすることで、スピーカ５を着座者のほぼ側方に配置できてスピーカ５からの音が着座者の耳４１に垂直に入って音量の割に音質良く聞こえるものである。
【０００８】
また、スピーカ５を横長に配置することが好ましい。このような構成とすることで、省スペース化を図ることが可能となる。
【０００９】
また、横長のスピーカ５にそれぞれ別体の高音発生部５１と低音発生部５２とが水平方向に並設され、高音発生部５１を着座者に対して前方から略９０°を為す側方に配置することが好ましい。このような構成とすることで、指向性の狭い高音が着座者の耳に垂直に入って着座者に聞こえる音質が良くなるものである。
【００１０】
また、別体の高音発生部５１と低音発生部５２とが形成されるスピーカ５の低音発生部５２が着座者の耳４１の側方より後方に配置されることが好ましい。このような構成とすることで、大きな音圧の低音が耳４１に垂直に入らずにすんで着座者の耳４１へ大きな負担がかかるのを防止できる。
【００１１】
また、左右のスピーカ５ａ，５ｂから略同一の波形の音を位相をずらして発生させることが好ましい。このような構成とすることで、着座者に広がりをもった音が聞こえるようになる。
【００１２】
【発明の実施の形態】
以下、本発明を添付図面に示す実施形態に基づいて説明する。スピーカ設置椅子は、図１に示すように、人体臀部が着座される座部１と、該座部１の後端部より上方に向けて連設されて着座者が背が凭れかけられる背凭れ部２と、該背凭れ部２の上端部に設けられて着座者の頭部４が凭れかけられるヘッドレスト３とで主体が構成され、更に、座部１から床面に載置される脚部１１が設けてあると共に、座部１の両側方に肘かけ部１２が設けてある。また、ヘッドレスト３にスピーカ５を設けると共に、制御部６と操作部７とをそれぞれ座部１と肘かけ部１２とに設け、制御部６と操作部７及びスピーカ５とを情報線（図示せず）で接続してある。なお、制御部６は座部１の内部又は下部に設けるもので、操作部７は肘かけ部１２の上面に設ける。
【００１３】
スピーカ５は、図１及び図２に示すように、ヘッドレスト３の両側に取付部３１を設けてその内部に配置してある。取付部３１は、図２に示すように、座部１に着座者の視界Ａ内に入らないように、即ち視界Ａの側方の端部Ａ１の外側（後方）に位置するようにヘッドレスト３の両側に形成してある。ただし、この場合の視界Ａとは、着座者が前方Ｄ１を向いた状態で頭部４をヘッドレスト３に凭れかけた時の視界のことである。そして、この取付部３１の内部にスピーカ５（図１及び図２においては図示せず）が設けてある。
【００１４】
スピーカは、取付部３１の前端部近傍に配設され、その音発生部（図示せず）からの音の伝播方向が着座者の耳４１の方向を向くように配置される。特に図３に示すように、着座者の耳４１に垂直に音が入って着座者に最も良く聞こえるように、着座者の前方Ｄ１と９０°を為す側方Ｄ２か又は、側方Ｄ２と若干角度θを為す後方にスピーカ５を配置してある。
【００１５】
以上のような構成によれば、着座者の視界Ａ内に位置しないようにスピーカ５を配置することで、着座者が視界を妨げられることがなくて不快感を感じないものであり、且つ、音の伝播方向が着座者の耳４１の方向を向くように、特に着座者のほぼ側方に配置してあるのでスピーカ５からの音が着座者の耳４１に垂直に入って音量の割に音質良く聞こえるものである。
【００１６】
また、スピーカ５は横長となるように配置することが好ましい（図４参照）。ヘッドレスト３の側方にはスピーカ５の取付部３１を設けるのであるが、スピーカ５を横長とすることで、側方に伸びる取付部３１に沿って横長のスピーカ５を配設（本実施形態では埋設）することができて、省スペース化を図ることが可能となる。
【００１７】
次に、本発明の他の実施形態について図５及び図６に基づいて説明する。これは、上述した図４に示すもののようにスピーカ５を横長に配置するのであるが、特に図５に示すようにスピーカ５に高音発生部５１と低音発生部５２とが別々に設けてあり、図６に示すように高音発生部５１が着座者の側方Ｄ２方向に配置し、更に、低音発生部５２はその後方に配置するものである。高音は指向性が狭く低音は指向性が広いため、本実施形態のように配置することで、指向性が狭い高音は着座者の耳に垂直に良好に入り、着座者に聞こえる音質が良いものである。
【００１８】
次に、本発明の更に他の実施形態について図７及び図８に基づいて説明する。本実施形態は、図５及び図６に示す実施形態とほぼ同様のものであるが、低音発生部５２を着座者の耳の側方よりなるべく後方に配置するものである。スピーカ５は、図７に示すように、ヘッドレスト３の取付部３１に沿って湾曲した略円弧状に形成してあり、図５に示すスピーカ５に比べて高音発生部５１と低音発生部５２との距離を離して配置してある。図７に示すようにスピーカ５を湾曲させて略円弧状に形成することで高音発生部５１と低音発生部５２との距離を離して配置しても取付部３１に沿って配置可能となる。図８にスピーカ５の配置を示すが、このものにおいては便宜上スピーカ５を取付部３１から離した位置に示してある。
【００１９】
低音は、高音と同等の大きさで聞くためには高音よりも大きな音圧で聞く必要があるが、この場合、着座者の耳４１に大きな負担となってしまうが、このように低音発生部５２を着座者の耳４１の側方より後方に位置させることで、大きな音圧の低音が耳４１に垂直に入らないので、着座者の耳４１へ大きな負担がかかるのを防止できる。
【００２０】
次に、本発明の更に他の実施形態について図９及び図１０に基づいて説明する。本実施形態のものは、左右に配置するスピーカ５（５ａ，５ｂ）の音波形の位相をずらすものである。
【００２１】
図９に示すように、制御部６は、増幅回路６１と再生器６３とからなり、更に増幅回路６１には位相遅延回路６２が設けられる。再生器６３は、音源媒体（例えばＣＤ，ＤＶＤ，ビデオテープ，あるいはＴＶであってもよい）からの左右の音情報をそれぞれ別個に電圧変化に変換して増幅回路６１に入力する。増幅回路６１は、この左右の音情報を増幅するだけでなく位相遅延回路６２にて位相をずらすものである。図１０に示すように、音情報の原出力信号は左右ともに同じであるが、位相遅延回路６２にて右出力信号と左出力信号とはＴ２のタイムラグをもってそれぞれ左右のスピーカ５ａ，５ｂに入力され、音となるものである。
【００２２】
このようにすることで、狭い空間内（即ちヘッドレスト３の取付部３１に囲まれる空間）で広がりをもった音が聞こえるようになる。
【００２３】
なお、音の位相をずらす手段としては、本実施形態のように位相遅延回路６２を用いずにＤＳＰ等を使用して音の広がりをもたせるようにしてもよい。
【００２４】
【発明の効果】
上記のように本発明の請求項１記載の発明にあっては、座部と背凭れ部を有し該背凭れ部の上部にヘッドレストが設けられた椅子に、着座者が頭部をヘッドレストに凭れかけた時の前方を中心とする視界の両側方の端部外又は端部近傍に位置するようにスピーカをそれぞれヘッドレストの左右に着座者の耳の方向を向くように配置したので、着座者の視界内にスピーカを配置せずにすんで着座者の視界を妨げることがなくなり、圧迫感がなく大きなリラックス効果を得ることができる。
【００２５】
また請求項２記載の発明にあっては、上記請求項１記載の発明の効果に加えて、スピーカを着座者に対して前方から略９０°を為す側方に配置したので、スピーカを着座者のほぼ側方に配置できてスピーカからの音が着座者の耳に垂直に入って音量の割に音質良く聞こえて、より一層大きなリラックス効果が得られる。
【００２６】
また請求項３記載の発明にあっては、上記請求項１記載の発明の効果に加えて、スピーカを横長に配置したので、省スペース化を図ることが可能となる。
【００２７】
また請求項４記載の発明にあっては、上記請求項３記載の発明の効果に加えて、横長のスピーカにそれぞれ別体の高音発生部と低音発生部とが水平方向に並設され、高音発生部を着座者に対して前方から略９０°を為す側方に配置するので、指向性の狭い高音が着座者の耳に垂直に入って着座者に聞こえる音質が良くなり、より大きなリラックス効果が得られる。
【００２８】
また請求項５記載の発明にあっては、上記請求項３記載の発明の効果に加えて、別体の高音発生部と低音発生部とが形成されるスピーカの低音発生部が着座者の耳の側方より後方に配置されるので、大きな音圧の低音が耳に垂直に入らずにすんで着座者の耳へ大きな負担がかかるのを防止できて、長時間使用してもリラックス効果が下がることがない。
【００２９】
また請求項６記載の発明にあっては、上記請求項１記載の発明の効果に加えて、左右のスピーカから略同一の波形の音を位相をずらして発生させるので、スピーカが着座者の耳に接近している狭い空間内で着座者に広がりをもった音が聞こえる。
【図面の簡単な説明】
【図１】本発明のスピーカ設置椅子を示す外観斜視図である。
【図２】同上における要部平面図である。
【図３】同上における他例の要部平面図である。
【図４】同上における更に他例の要部側面図である。
【図５】同上のスピーカの正面図である。
【図６】本発明の他の実施形態の要部平面図である。
【図７】本発明の更に他の実施形態のスピーカを示し、（ａ）は正面図であり、（ｂ）は側面図である。
【図８】同上における要部平面図である。
【図９】本発明の更に他の実施形態の要部構成図である。
【図１０】同上において原音の音波形及び左右のスピーカに入力される異位相の音波形を示す図である。
【符号の説明】
１　座部
２　背凭れ部
３　ヘッドレスト
４　頭部
４１　耳
５　スピーカ
Ａ　視界
Ａ１　端部
【図１】
2004016522.tif 000003
【図２】
2004016522.tif 000004
【図３】
2004016522.tif 000005
【図４】
2004016522.tif 000006
【図５】
2004016522.tif 000007
【図６】
2004016522.tif 000008
【図７】
2004016522.tif 000009
【図８】
2004016522.tif 000010
【図９】
2004016522.tif 000011
【図１０】
2004016522.tif 000012